(57)【特許請求の範囲】
【請求項１】
複数のＬＥＤが搭載されたＬＥＤ回路基板と、
該ＬＥＤ回路基板が着接された第１の放熱体と、
熱伝導性を有する上側カバーと、
光照射窓部を有し、前記第１の放熱体が内設された下側カバ−と、
一部が前記上側カバーの内面に着接され、他部が前記第１の放熱体に着接された第２の放熱体と、
前記上側カバーと前記下側カバーとを回動自在に支持するヒンジ部と、
を備えていることを特徴とするＬＥＤ照明器具。
【請求項２】
前記ＬＥＤ回路基板には、前記ＬＥＤ照明器具に使用される前記複数のＬＥＤの全てが搭載されていることを特徴とする請求項１に記載のＬＥＤ照明器具。
【請求項３】
前記第１の放熱体は、上面と下面を備え、該下面に前記ＬＥＤ回路基板が着接され、
前記第２の放熱体は、上面と下面を備え、該上面が前記上側カバーの内面に着接され、前記下面が前記第１の放熱体の上面に着接されていることを特徴とする請求項１又は請求項２に記載のＬＥＤ照明器具。
【請求項４】
前記第１の放熱体及び前記第２の放熱体は、熱伝導性を有する金属素材を用いて形成されていることを特徴とする請求項１乃至請求項３のいずれか１項に記載のＬＥＤ照明器具。
【請求項５】
前記ＬＥＤ回路基板で発生した熱は、前記上側カバーと前記下側カバーで構成される内部空間に放熱されるとともに、前記第１の放熱体、前記第２の放熱体、及び、前記上側カバーを介して外部空間に放熱されることを特徴とする請求項１乃至請求項４のいずれか１項に記載のＬＥＤ照明器具。
【請求項６】
前記第２の放熱体の下面には熱伝導性及び弾力性を有する放熱シートが貼着され、前記第２の放熱体の下面は、前記放熱シートを介して前記第１の放熱体の上面に着接されていることを特徴とする請求項１乃至請求項４のいずれか１項に記載のＬＥＤ照明器具。
【請求項７】
前記ＬＥＤ回路基板で発生した熱は、前記上側カバーと前記下側カバーで構成される内部空間に放熱されるとともに、前記第１の放熱体、前記放熱シート、前記第２の放熱体、及び、前記上側カバーを介して外部空間に放熱されることを特徴とする請求項６に記載のＬＥＤ照明器具。
【発明の詳細な説明】
【技術分野】
【０００１】
本発明は、屋外灯あるいは屋内灯として用いられるＬＥＤ照明器具の放熱技術に関するものである。
【背景技術】
【０００２】
ＬＥＤ（発光ダイオード）は、高発光効率、指向性、小型・軽量、長寿命、紫外線レス、その他諸々の利点を有しているので、従来から、交通信号機、携帯電子情報機器、屋内外の大型表示装置等に用いられており、近年、屋外あるいは屋内の照明器具としても広く利用されている。ＬＥＤは、従来の蛍光ランプに比べ電気エネルギーを光に変換するエネルギー変換効率が高く、また、ＬＥＤの発光する光には赤外線が殆ど含まれないので、ＬＥＤの発光部分の発熱量は少ないが、照度を高めるためにＬＥＤに流れる電流を大きくするとＬＥＤ素子内部の発熱量が大きくなり、必然的に、ＬＥＤの点灯制御を行う周辺素子や、ＬＥＤ及び周辺素子に電力を供給する電源部に流れる電流も大きくなり発熱量も増大する。さらに、照明器具として所定の明るさを得るためには、複数のＬＥＤを備える必要があり、この複数のＬＥＤ、周辺素子、電源部等が搭載されるＬＥＤ回路基板は大電流が流れて高温になる。ＬＥＤは、温度が上昇すると出力が低下するという特性を有するので、ＬＥＤ回路基板の放熱対策は、重要な課題である。
【０００３】
ＬＥＤ照明器具の放熱対策に関しては、下記特許文献１及び２に、以下のように記載されている。まず、特許文献１には、「従来多数のＬＥＤを基板上に配設した集合型ランプとしては・・・、信号機等の視認性のみが求められるものが多く、本来の照明としては長時間点灯させるものは少なかった。また信号機の照明は一般に防水性は重視されるが、風通しが良い場所に設置され、構造上も放熱性が問題となることも少なく、基板自体の放熱には一般にヒートシンクが裏面全体又は表面に部分的に装着されることが公知である。しかしＬＥＤの集合型ランプを本来の照明として使用する場合、１枚の基板に相当数のＬＥＤを集合させて装着する必要があるほか、できるだけ厚み（又は奥行き）を小さくして集合型ランプ自体をプレート状に形成することが取付位置等の関係で汎用性があるため、基板の放熱性が求められる。特に屋外照明のように防水性を求められるものは放熱が難しいという問題がある」（段落「０００２」、「０００３」、「０００５」参照。）と記載されている。
【０００４】
そして、上記問題を解決するために、特許文献１に記載の「集合型ＬＥＤランプ」は、「基板（２）の表面に多数のＬＥＤ（１）を突設し、該ＬＥＤ（１）の表面側を透光性のカバー（３）で覆い、基板（２）の背面側に放熱板（８）を装着した集合型ランプにおいて、基板（２）と放熱板（８）との間に放熱性及び防水性を備えた樹脂からなり、カバー（３）の周壁（３ａ）内面と基板（２）とに付着する接着機能を備えてなる放熱層（７）を介在させて基板（２）と放熱板（８）を固着した」ことを特徴としている。（「請求項１」参照。）
【０００５】
また、特許文献２には、「ＬＥＤの高出力化に伴い、高出力が要求される照明器具においても、ランプ光源の代替光源としてＬＥＤが使用され始めている。特に近年では、道路灯や街路灯として用いる照明器具でも、その光源にＬＥＤを採用したものが提案されている（例えば、特許文献１参照）。ところで、ＬＥＤは温度が高くなるほど寿命が短くなるため、ＬＥＤを光源として採用する場合には、該ＬＥＤの放熱対策が重要となる。」（段落「０００２」参照。）と記載されている。
【０００６】
そして、上記課題を解決するために、特許文献２に記載の「ＬＥＤ照明器具」は、「照射開口が設けられた器具本体に、複数のＬＥＤを前記照射開口に臨む位置に配置する光源ユニットを備えたＬＥＤ照明器具であって、前記光源ユニットが一部のＬＥＤを前記器具本体の内側面の側に配置し、前記内側面の側に配置されたＬＥＤには前記内側面に接続される熱伝導板を接続して放熱し、他のＬＥＤには放熱フィンを接続して放熱したこと」を特徴としている。
【先行技術文献】
【特許文献】
【０００７】
【特許文献１】特開２０１０−０２１１５６号公報
【特許文献２】特開２０１０−２６２７９６号公報
【発明の概要】
【発明が解決しようとする課題】
【０００８】
特許文献１に記載の「集合型ＬＥＤランプ」では、「基板２」は、「カバー３」及び「放熱層７」により防水性が高められているが、「放熱層７」の背面に押接状態で接着固定された「アルミ押出成形材等よりなるヒートシンク（放熱板）８」は、外気中に露出している（段落「００１５」〜「００１９」、図１〜図４参照。）。したがって、この「集合型ＬＥＤランプ」を、例えば、交通信号機として用いると、「ヒートシンク（放熱板）８」が直接外気（風、雨、雪等）に晒されることになるので、腐食等による劣化が懸念される。仮に、「ヒートシンク（放熱板）８」を、密生性・防水性のあるカバーで覆ってしまうと、「ヒートシンク（放熱板）８」で放熱された熱が、カバー内に籠もってしまい、放熱効率が劣化する虞がある。
【０００９】
これに対し、特許文献２に記載の「ＬＥＤ照明器具１」は、「器具本体５」内に「光源ユニット１３」が収納されているので、この「光源ユニット１３」に設けられた「熱伝導板４５」や「放熱フィン４３」その他の金属部品については、上記の特許文献１の放熱部分が露出するという問題は解消されているものと推量される。
【００１０】
ここで、さらに検討してみると、特許文献２には「ＬＥＤ照明器具１は、・・・。このように１又は複数のＬＥＤ３０を坦持した複数のＬＥＤ坦持板４１を枠状フレーム板４０に組み付けて光源ユニット１３を構成した・・・。さて、光源ユニット１３にＬＥＤ坦持板４１を組み付ける際には、少なくとも幾つかが器具本体５の内側面６の側に組み付けられている。そして、光源ユニット１３が備える各ＬＥＤ３０のうち、内側面６の側に該内側面６に沿って配置されたＬＥＤ３０（符号３０Ａを付して区別する）に対しては、図２に示すように、該ＬＥＤ３０Ａを坦持したＬＥＤ坦持板４１の裏面に、高熱伝導性を有する例えば銅板から成り比較的厚みのある（例えば１ｍｍ）熱伝導板４５が接続され、この熱伝導板４５を介して器具本体５の内側面６へＬＥＤ３０Ａの熱が伝導されて放熱される。また、これらＬＥＤ３０Ａよりも内側に配置された残りのＬＥＤ３０（符号３０Ｂを付して区別する）については、該ＬＥＤ３０Ｂを坦持したＬＥＤ坦持板４１の裏面に放熱フィン４３が接続され、この放熱フィン４３により器具本体５の内部に放熱することとしている」（段落「００１０」〜「００１３」、図１〜図３参照。）と記載されている。
【００１１】
また、特許文献２には、上記のように構成した理由、及び、その効果として、以下のように記載されている。「このように、光源ユニット１３が放熱フィン４３の他に、ＬＥＤ３０Ａの熱を器具本体５の内側面６に伝導する熱伝導板４５を備え、これら両方によって、各ＬＥＤ３０Ａ、３０Ｂの放熱が行われるため、放熱フィン４３だけの放熱では放熱能力が不足する既存の器具本体５を流用した場合でも、光源ユニット１３が備えるＬＥＤ３０のうち、一部のＬＥＤ３０Ａの発熱を器具本体５の内側面６に逃がすことができ、各ＬＥＤ３０を良好に放熱させることができる。これにより、既存の器具本体５では熱的問題により内蔵できなかった個数或いは出力のＬＥＤ３０を内蔵させることができる。特に、屋外で使用される道路灯などの灯具においては、器具本体５が密閉構造とされるため、熱が籠もり易く、放熱フィン４３だけでは十分な放熱性が得られないものの、本実施形態によれば、器具本体５からも放熱されるため、十分な放熱性を実現することができる。また、全部のＬＥＤ３０を器具本体５に熱伝導板４５を介して接続して熱伝導により放熱する構成も考え得るものの、このような構成においては、器具本体５が熱的に飽和し易くなり、ＬＥＤ３０の放熱効果が得られ難くなるものの、本実施形態では、器具本体５に熱伝導により放熱するＬＥＤ３０Ａを一部に制限しているため、そのような問題が生じることがない」（段落「００１４」、「００１５」、図１〜図３参照。）。
【００１２】
しかしながら、特許文献２に記載の「ＬＥＤ照明器具１」では、複数の「ＬＥＤ坦持板４１」のうち、一部の「ＬＥＤ坦持板４１」は、「熱伝導板４５」を介して「器具本体５」の「内側面６」に放熱するように構成されているが、他の「ＬＥＤ坦持板４１」は、裏面に接続された「放熱フィン４３」によって、「器具本体５」の内部に放熱する構成となっている。つまり、特許文献２記載の「ＬＥＤ照明器具１」においては、「熱伝導板」による放熱と、「放熱フィン」による放熱の両方の放熱手段による放熱を用いて異なる構造の放熱手段を設計しなければならず、設計に手間が掛かり、構造も図１〜図４に示すように複雑である。
【００１３】
また、「ＬＥＤ３０Ｂ」が搭載された「ＬＥＤ坦持板４１」は、「放熱フィン４３」のみよって放熱され、この放熱は、特許文献２にも記載されているように「器具本体５」の内部に籠もってしまうので、この「器具本体５」の内部に籠もった熱を逃がすための更なる改善が必要である。
【００１４】
そこで、本発明は、複数のＬＥＤが搭載されたＬＥＤ回路基板の発熱を効率よく外部へ放熱することができるＬＥＤ照明器具を提供することを目的とする。
【課題を解決するための手段】
【００１５】
上記の目的を達成するため、請求項１の発明では、ＬＥＤ照明器具であって、複数のＬＥＤが搭載されたＬＥＤ回路基板と、該ＬＥＤ回路基板が着接された第１の放熱体と、熱伝導性を有する上側カバーと、光照射窓部を有し、前記第１の放熱体が内設された下側カバ−と、一部が前記上側カバーの内面に着接され、他部が前記第１の放熱体に着接された第２の放熱体と、前記上側カバーと前記下側カバーとを回動自在に支持するヒンジ部と、を備えていることを特徴とする。
【００１６】
また、請求項２の発明では、請求項１の発明において、前記ＬＥＤ回路基板には、前記ＬＥＤ照明器具に使用される前記複数のＬＥＤの全てが搭載されていることを特徴とする。
【００１７】
また、請求項３の発明では、請求項１又は請求項２に記載の発明において、前記第１の放熱体は、上面と下面を備え、該下面に前記ＬＥＤ回路基板が着接され、前記第２の放熱体は、上面と下面を備え、該上面が前記上側カバーの内面に着接され、前記下面が前記第１の放熱体の上面に着接されていることを特徴とする。
【００１８】
また、請求項４の発明では、請求項１乃至請求項３のいずれか１項に記載の発明において、前記第１の放熱体及び前記第２の放熱体は、熱伝導性を有する金属素材等を用いて形成されていることを特徴とする。
【００２０】
また、請求項５の発明では、請求項１乃至請求項４のいずれか１項に記載の発明において、前記ＬＥＤ回路基板で発生した熱は、前記上側カバーと前記下側カバーで構成される内部空間に放熱されるとともに、前記第１の放熱体、前記第２の放熱体、及び、前記上側カバーを介して外部空間に放熱されることを特徴とする。
【００２１】
また、請求項６の発明では、請求項１乃至請求項４のいずれか１項に記載の発明において、前記第２の放熱体の下面には熱伝導性及び弾力性を有する放熱シートが貼着され、前記第２の放熱体の下面は、前記放熱シートを介して前記第１の放熱体の上面に着接されていることを特徴とする。
【００２２】
また、請求項７の発明では、請求項６に記載の発明において、前記ＬＥＤ回路基板で発生した熱は、前記上側カバーと前記下側カバーで構成される内部空間に放熱されるとともに、前記第１の放熱体、前記放熱シート、前記第２の放熱体、及び、前記上側カバーを介して外部空間に放熱されることを特徴とする。
【発明の効果】
【００２４】
本発明のＬＥＤ照明器具によれば、複数のＬＥＤが搭載されたＬＥＤ回路基板と、該ＬＥＤ回路基板が着接された第１の放熱体と、熱伝導性を有する上側カバーと、光照射窓部を有し、前記第１の放熱体が内設された下側カバ−と、一部が前記上側カバーの内面に着接され、他部が前記第１の放熱体に着接された第２の放熱体と、を備えている構成にしたので、前記ＬＥＤ回路基板で発生した熱は、前記上側カバーと前記下側カバーとの内部空間に放熱されるとともに、第１の放熱体、第２の放熱体、及び、上側カバーを介して外部空間（外気中）に放熱されるので、従来技術に比べ、顕著な放熱効果を奏することができる。
【００２５】
また、本発明のＬＥＤ照明器具によれば、上側カバー及び下側カバーを閉蓋した状態の構成において、前記放熱体は、前記ＬＥＤ回路基板とともにＬＥＤ照明器具内に密閉・防水状態に収納されるので、直接外気に晒される虞はない。
【００２６】
また、本発明のＬＥＤ照明器具によれば、第２の放熱体の下面に弾力性及び高い熱伝導性を有する放熱シートを用いたので、上側カバー及び下側カバーを閉蓋した状態の構成において、第１の放熱体と第２の放熱体とが、より密着されるので、放熱効率を向上させることができる。
【図面の簡単な説明】
【００２７】
【図１】本発明の実施形態におけるＬＥＤ照明器具において、第１の放熱体及び第２の放熱体の着装状態を説明する斜視図である。
【図２】本発明の実施形態におけるＬＥＤ照明器具において、第１の放熱体及び第２の放熱体の着装状態を説明する右側面図である。
【図３】本発明の実施形態におけるＬＥＤ照明器具において、第１の放熱体及び第２の放熱体の着装状態を説明する正面図である。
【図４】本発明の実施形態におけるＬＥＤ照明器具において、第１の放熱体の第２の放熱体への着装状態を説明する斜視図である。
【図５】本発明の実施形態におけるＬＥＤ照明器具において、第１の放熱体の第２の放熱体への着装状態を説明する右側面図である。
【図６】本発明の実施形態におけるＬＥＤ照明器具において、第１の放熱体の第２の放熱体への着装状態を説明する正面図である。
【図７】本発明の実施形態におけるＬＥＤ照明器具において、ＬＥＤのＬＥＤ回路基板への着装状態を説明する底面図である。
【図８】本発明の実施形態におけるＬＥＤ照明器具にいて、第１の放熱体の上側カバーへの着装状態を示す斜視図である。
【図９】本発明の実施形態におけるＬＥＤ照明器具において、第１の放熱体の上側カバーへの着装状態、及び、第２の放熱体の下側カバーへの着装状態を示す斜視図である。
【図１０】本発明の実施形態におけるＬＥＤ照明器具の放熱試験結果を示す図である。
【発明を実施するための形態】
【００２８】
以下、好適な実施形態を用いて本発明をさらに具体的に説明する。但し、下記の実施形態は本発明を具現化した例に過ぎず、本発明はこれに限定されるものではない。
【００２９】
（実施形態）
本発明の実施形態におけるＬＥＤ照明器具について、図１〜図１０を参照しながら説明する。
【００３０】
ＬＥＤ照明器具１は、特許文献２に記載の「ＬＥＤ照明器具１」と同様に、道路脇に立設された支柱の上端に固定されて道路面を照射する道路灯として用いられる。また、街路灯、庭園灯、看板灯等の屋外照明や、建物の屋内壁照明等としても広く利用される。
【００３１】
図１、図２に示すように、ＬＥＤ照明器具１は、主に、上側カバー２、下側カバー３、ヒンジ部４、複数のＬＥＤ３０を搭載したＬＥＤ回路基板５、熱伝導性を有しＬＥＤ回路基板５が着接された第１の放熱体６、熱伝導性を有し上側カバー２に着接された第２の放熱体７から構成されている。
【００３２】
上側カバー２は、熱伝導性を有する金属素材（例えば、アルミニウム。）で形成され、周縁内部には、防水用に、樹脂（例えば、合成ゴム。）製のパッキンが設けられ、上側カバー２と下側カバー３を閉蓋したときに、密閉性及び防水性が高められている。ＬＥＤ照明器具１の後端部には、上側カバー２と下側カバー３とを回動自在に支持するヒンジ部４が設けられ、上側カバー２と下側カバー３の開閉は、このヒンジ部４に支持されて行われる。下側カバー３は、上側カバー２と同一素材で形成され、第１の放熱体６が内設されている。
【００３３】
第１の放熱体６は、上下面６ａ，６ｂ、左右側面を６ｃ，６ｄ有し、前後側が開口された熱伝導性の高い金属素材（例えば、アルミニウム。）の箱体で形成されている。第１の放熱体６の下面６ｂには、照明器具１に用いる全ての照明用のＬＥＤ３０が搭載されたＬＥＤ回路基板５が、固定手段５ａによって第１の放熱体６の下面６ｂに着接されている（特に、図７参照。）。本実施例では、ＬＥＤ回路基板５は複数設けられ、それぞれのＬＥＤ回路基板５に、複数のＬＥＤ３０が搭載されているが、全てのＬＥＤ３０が一枚のＬＥＤ回路基板５に搭載されるように構成してもよい。ＬＥＤ３０は、いわゆる、表面実装型ＬＥＤであり、レンズ部が道路等の照射面である下方を向き、アノード／カソード部がＬＥＤ回路基板５に着接されている。第１の放熱体６の前部及び後部には、下側カバー３に第１の放熱体６を固定するための固定部材６ｅ，６ｆが取り付けられている。ＬＥＤ回路基板５には、ＬＥＤ３０に電力を供給するための電源コード９が、開口された支柱固定部１０を介して接続されている。
【００３４】
下側カバー３底面の第１の放熱体６の下面６ｂに対応する位置は開口され、強化ガラス、または、強化プラスチック等の透明性または透光性を有する素材で形成された照射窓部１１が設けられている。光照射窓部１１は、ＬＥＤ３０から発光された光が、例えば、道路面を照射するように、構成されている。
【００３５】
第２の放熱体７は、上下面７ａ，７ｂ、前後面７ｃ，７ｄを有し、左右面側が開口された熱伝導性の高い金属素材（例えば、アルミニウム。）の箱体で形成されている。前面７ｃ、後面７ｄには、第２の放熱体７を上側カバー２の内壁面２ａに固定するための固定片７ｅ，７ｆが設けられ、固定片７ｅ，７ｆが、それぞれ、螺子、ボルト等の螺設手段７ｇ，７ｈによって、上側カバ-２の内壁面２ａに螺着されることによって、第２の放熱体の上面７ａが上側カバー２の内壁面２ａに着接される（特に、図２、図３参照。）。
【００３６】
第２の放熱体７の下面７ｂには、弾力性及び高い熱伝導性を有する放熱シート８が貼着されている。放熱シート８は、例えば、シリコン系素材、アクリル系（非シリコン系）素材で形成される。これにより、上側カバー２と下側カバー３を閉蓋したときに、第２の放熱体７の下面７ｂと第１の放熱体６の上面６ａとの密着性が向上する。なお、第２の放熱体７の下面７ｂと第１の放熱体６の上面６ａとを直接接触させて密着性があり、十分な放熱効率が得られるときは、放熱シート８を設けなくてもよい。
【００３７】
図８、図９は、上側カバー２と下側カバー３とを開蓋した状態を示している。図示するように、第１の放熱体６は、下側カバー３に内設され、第２の放熱体７は、上側カバー７の内壁面２ａに螺設手段７ｇ，７ｈによって着接されている。第２の放熱体７の下面７ｂには、放熱シート８が貼着されている。ＬＥＤ照明器具１を組み立てるときは、まず、上側カバー２と下側カバー３とを開蓋した状態において、上側カバー２の内壁面２ａに第２の放熱体７の上面７ａを着接させて螺設手段７ｇ，７ｈで螺着し、下側カバー３に第１の放熱体６を内設して固定片で着脱可能に固定し、支柱固定部１０を挿通された電源コード９を第１の放熱体６の所定の位置に接続する。このとき、放熱シート８は、予め第２の放熱体７の下面７ｂに貼着されていてもよい。
【００３８】
次に、第１の放熱体６が取り付けられた下側カバー３と、第２の放熱体７が取り付けられた上側カバー２を閉蓋する。このとき、上側カバー２の前端部、及び、下側カバー３の前端部に設けられたロック手段Ｌ１，Ｌ２（図９参照。）により、上側カバー２と下側カバー３とは、押圧された状態でロックされる。上述したように、上側カバー２の周縁内部には、例えば、合成ゴムで形成された樹脂製パッキンが設けられているので、密閉性及び防水性が高められる。
【００３９】
ここで、第２の放熱体７は、第１の放熱体６よりも、縮小されて形成されている。この理由について、以下、説明する。本実施の形態において、上側カバー２の内壁面２ａは、平坦面ではなく、断面略への字形状に形成されている（図２参照。）。したがって、第１の放熱体６の左右側面６ｃ、６ｄを高くして上面６ａを上側カバー２の内壁面２ａに着接しようとすると、上面６ａと内壁面２ａとの間に非接触の隙間が発生して、放熱効率が低下する場合がある。また、内壁面２ａの平坦部２ｂの大きさに合わせて第１の放熱体６の上面６ａを形成すれば、第１の放熱体６の上面６ａと内壁面２ａの平坦部２ｂとは密着するが、第１の放熱体６の上面６ａの面積が下面６ｂの面積より大幅に縮小されて放熱効率が低下する。このため、第１の放熱体６とは独立して第２の放熱体７を設け、第１の放熱体６の大きさを下側カバー３に内設可能で充分な放熱効率が得られる大きさに形成し、さらに、第２の放熱体７の上面７ａの大きさを、螺設手段７ｇ，７ｈ等の取付け部分を考慮して、内壁面２ａの平坦部２ｂの大きさに適合するように形成し、第２の放熱体７の上面７ａと内壁面２ａとの密着性を高めることで第２の放熱体７の放熱効率を向上させ、第１の放熱体６と第２の放熱体７とで、全体としての放熱効率を向上させるようにしたのである。
【００４０】
なお、上側カバー２の内壁面２ａが曲率を有する形状をなすときは、例えば、第２の放熱体７の上面７ａに、あるいは、上面７ａと対応する上側カバー２の内壁面２ａのいずれかに、あるいは、両方に、放熱シート８と同様の、弾力性及び熱伝導性を有する放熱シートを貼着したり、第２の放熱体７の上面７ａに可撓性を備えて形成することで、上側カバー２の内壁面２ａと第２の放熱体７の上面７ａとの密着性、つまり、放熱効率を効果的に維持することができる。
【００４１】
第２の放熱体７の形成は、例えば、アルミニウムのような加工性の容易な金属性の板材を所定の形状に切断・折り曲げて形成することができる。したがって、上側カバー２の種々の形状に合わせて形成することも容易である。ＬＥＤ照明器具は、設置環境や装飾性等に応じて、下側カバーの形状はほぼ変えずに、上側カバーの形状を変えて形成されることが多いので、このようなときは、加工性の容易な第２の放熱体７のみ設計変更すればよいので、照明器具全体としての設計工数が簡略化される。また、商品ラインアップに合わせて、予め種々の形状の第２の放熱体７を作成しておいてもよい。
【００４２】
なお、上側カバー２の内壁２ａが広範囲に平坦な場合は、第２の放熱体７を設けずに、第１の放熱体６の上面６ａを上側カバー２の内壁面２ａに直接着接させる構成にしてもよい。
【００４３】
図１０に、ＬＥＤ照明器具１の放熱試験結果を示す。本発明の実施形態のＬＥＤ照明器具１は、上記のように構成したことで、環境温度（Ｔａ）が３０°Ｃにおいて、電源投入（図１０の時間軸「０分」）後、ＬＥＤ回路基板５、第１の放熱体６、上側カバー２（ＬＥＤ照明器具１）の測定温度は、徐々に上昇し、約７０分経過後に、それぞれ、７６．５°Ｃ、５４．６°Ｃ、３５．８°Ｃに安定している。この結果、本発明の実施形態のＬＥＤ照明器具１は、十分な放熱特性を有し、ＬＥＤの寿命劣化を防ぐことができるといえる。
【符号の説明】
【００４４】
１          ＬＥＤ照明器具
２          上側カバー
２ａ        上側カバー内壁面
２ｂ        上側カバー内壁面の平坦部
３          下側カバー
４          ヒンジ部
５          ＬＥＤ回路基板
５ａ        固定手段
６          第１の放熱体
６ａ        第１の放熱体の上面
６ｂ        第１の放熱体の下面
６ｃ        第１の放熱体の前面
６ｄ        第１の放熱体の後面
６ｅ，６ｆ  第１の放熱体の固定片
７          第２の放熱体
７ａ        第２の放熱体の上面
７ｂ        第２の放熱体の下面
７ｃ        第２の放熱体の前面
７ｄ        第２の放熱体の後面
７ｅ，７ｆ  第２の放熱体の固定片
７ｇ，７ｈ  螺設手段
８          放熱シート
９          電源コード
１０        支柱固定部
１１        光照射窓部
５０        ＬＥＤ
Ｌ１，Ｌ２  ロック手段
【図１】
0006604860.tif 000002
【図２】
0006604860.tif 000003
【図３】
0006604860.tif 000004
【図４】
0006604860.tif 000005
【図５】
0006604860.tif 000006
【図６】
0006604860.tif 000007
【図７】
0006604860.tif 000008
【図８】
0006604860.tif 000009
【図９】
0006604860.tif 000010
【図１０】
0006604860.tif 000011